(57)【要約】      （修正有）【課題】各撮影モードの露出条件の関係を把握し、所望する画像を撮影するための露出条件の編集設定が容易に行える技術を提供する。【解決手段】コンピュータに、撮影対象のシーンに応じた複数の撮影モードそれぞれにおける被写体輝度に応じた露出設定情報を外部から取得する取得手順、各撮影モードの露出設定情報を比較可能に表示出力する表示手順、を実行させる。また、取得手順では、コンピュータが、撮影モードの露出設定情報に基づいて撮影されたサンプル画像を外部から取得し、表示手順では、コンピュータが、撮影モードの露出設定情報とともにサンプル画像を表示出力してもよい。【選択図】図１
2011197090.tif 000002
【特許請求の範囲】
【請求項１】
コンピュータに、
撮影対象のシーンに応じた複数の撮影モードそれぞれにおける被写体輝度に応じた露出設定情報を外部から取得する取得手順、
前記各撮影モードの前記露出設定情報を比較可能に表示出力する表示手順、
を実行させることを特徴とする撮影支援プログラム。
【請求項２】
請求項１に記載の撮影支援プログラムにおいて、
前記取得手順では、前記コンピュータが、前記撮影モードの露出設定情報に基づいて撮影されたサンプル画像を前記外部から取得し、
前記表示手順では、前記コンピュータが、前記撮影モードの露出設定情報とともに前記サンプル画像を表示出力する
ことを特徴とする撮影支援プログラム。
【請求項３】
請求項１または請求項２に記載の撮影支援プログラムにおいて、
前記撮影モードの露出設定情報の編集指示をユーザから受け付け、前記撮影モードの露出設定情報を編集する編集手順を前記コンピュータにさらに実行させる
ことを特徴とする撮影支援プログラム。
【請求項４】
請求項３に記載の撮影支援プログラムにおいて、
前記編集手順により編集された前記露出設定情報を前記外部に送信し、前記撮影モードの新たな露出設定情報として設定する設定手順を前記コンピュータにさらに実行させる
ことを特徴とする撮影支援プログラム。  
【請求項５】
請求項１ないし請求項４のいずれか１項に記載の撮影支援プログラムにおいて、
前記表示手順では、前記コンピュータが、前記複数の撮影モードそれぞれの露出設定情報を前記被写体輝度とシャッタ速度との関係に基づいて表示出力する
ことを特徴とする撮影支援プログラム。
【請求項６】
請求項１ないし請求項４のいずれか１項に記載の撮影支援プログラムにおいて、
前記表示手順では、前記コンピュータが、前記複数の撮影モードそれぞれの露出設定情報を前記被写体輝度と絞り値との関係に基づいて表示出力する
ことを特徴とする撮影支援プログラム。
【請求項７】
請求項１ないし請求項４のいずれか１項に記載の撮影支援プログラムにおいて、
前記表示手順では、前記コンピュータが、前記複数の撮影モードそれぞれの露出設定情報を前記被写体輝度の所定値におけるシャッタ速度と絞り値との関係に基づいて表示出力する
ことを特徴とする撮影支援プログラム。
【請求項８】
被写体を撮像して画像のデータを生成する撮像部と、
前記被写体の被写体輝度を検出する検出部と、
撮像した前記画像を表示する表示部と、
撮影対象のシーンに応じた複数の撮影モードそれぞれにおける前記被写体輝度に応じた露出設定情報を比較可能に前記表示部に表示させる制御部と、
を備えることを特徴とする撮像装置。
【請求項９】
請求項８に記載の撮像装置において、
前記撮影モードの前記露出設定情報に基づいて撮影されたサンプル画像を記憶する記憶部をさらに備え、
前記制御部は、前記撮影モードの露出設定情報とともに前記サンプル画像を前記表示部に表示する
ことを特徴とする撮像装置。
【請求項１０】
請求項８または請求項９に記載の撮像装置において、
前記撮影モードの露出設定情報の編集指示をユーザから受け付ける操作部材をさらに備え、
前記制御部は、前記編集指示に基づいて前記撮影モードの露出設定情報を編集する
ことを特徴とする撮像装置。
【請求項１１】
請求項１０に記載の撮像装置において、
前記制御部は、編集された前記露出設定情報を前記撮影モードの新たな露出設定情報として設定する
ことを特徴とする撮像装置。
【発明の詳細な説明】
【技術分野】
【０００１】
本発明は、露出条件が編集可能な撮影支援プログラムおよび撮像装置に関する。
【背景技術】
【０００２】
従来、カメラは、撮影シーンに応じ予めシャッタ速度、絞り値などが設定された撮影モードを有する。ユーザは、撮影シーンに応じて所定の露出条件に設定された撮影モードを選択し撮影を行う。
【０００３】
しかしながら、所定の露出条件の撮影モードを選択して撮影を行った場合、ユーザの意図とは異なる画像が取得される場合がある。そこで、撮影モードのモード選択によらず、露出の決定に必要な情報のシャッタ速度と絞り値と露出補正量とのうち、任意のパラメータを簡単な統一された操作で設定変更できる技術が開発されている（例えば、特許文献１など参照）。
【先行技術文献】
【特許文献】
【０００４】
【特許文献１】特開平１１−２４２２５５号公報
【発明の概要】
【発明が解決しようとする課題】
【０００５】
しかしながら、従来技術では、撮影シーンに応じてどのパラメータをどのように変更したら良いのか、その変更の結果どのような画像が得られるのかを、把握することは困難である。
【０００６】
上記従来技術が有する問題に鑑み、本発明の目的は、各撮影モードの露出条件の関係を把握し、所望する画像を撮影するための露出条件の編集設定が容易に行える技術を提供することにある。
【課題を解決するための手段】
【０００７】
上記課題を解決するために、本発明の撮影支援プログラムは、コンピュータに、撮影対象のシーンに応じた複数の撮影モードそれぞれにおける被写体輝度に応じた露出設定情報を外部から取得する取得手順、各撮影モードの露出設定情報を比較可能に表示出力する表示手順、を実行させる。
【０００８】
また、取得手順では、コンピュータが、撮影モードの露出設定情報に基づいて撮影されたサンプル画像を外部から取得し、表示手順では、コンピュータが、撮影モードの露出設定情報とともにサンプル画像を表示出力してもよい。
【０００９】
また、撮影モードの露出設定情報の編集指示をユーザから受け付け、撮影モードの露出設定情報を編集する編集手順をコンピュータにさらに実行させてもよい。
【００１０】
また、編集手順により編集された露出設定情報を外部に送信し、撮影モードの新たな露出設定情報として設定する設定手順をコンピュータにさらに実行させてもよい。
【００１１】
また、表示手順では、コンピュータが、複数の撮影モードそれぞれの露出設定情報を被写体輝度とシャッタ速度との関係に基づいて表示出力してもよい。
【００１２】
また、表示手順では、コンピュータが、複数の撮影モードそれぞれの露出設定情報を被写体輝度と絞り値との関係に基づいて表示出力してもよい。
【００１３】
また、表示手順では、コンピュータが、複数の撮影モードそれぞれの露出設定情報を被写体輝度の所定値におけるシャッタ速度と絞り値との関係に基づいて表示出力してもよい。
【００１４】
本発明の撮像装置は、被写体を撮像して画像のデータを生成する撮像部と、被写体の被写体輝度を検出する検出部と、撮像した画像を表示する表示部と、撮影対象のシーンに応じた複数の撮影モードそれぞれにおける被写体輝度に応じた露出設定情報を比較可能に表示部に表示させる制御部と、を備える。
【００１５】
また、撮影モードの露出設定情報に基づいて撮影されたサンプル画像を記憶する記憶部をさらに備え、制御部は、撮影モードの露出設定情報とともにサンプル画像を表示部に表示してもよい。
【００１６】
また、撮影モードの露出設定情報の編集指示をユーザから受け付ける操作部材をさらに備え、制御部は、編集指示に基づいて撮影モードの露出設定情報を編集してもよい。
【００１７】
また、制御部は、編集された露出設定情報を撮影モードの新たな露出設定情報として設定してもよい。
【発明の効果】
【００１８】
本発明によれば、各撮影モードの露出条件の関係を把握し、所望する画像を撮影するための露出条件の編集設定が容易に行える。
【図面の簡単な説明】
【００１９】
【図１】一の実施形態に係る撮影支援システムの構成例を示すブロック図
【図２】各シーンモードの露出条件の表示の一例を示す図
【図３】各シーンモードのプログラム線図の表示の一例を示す図
【図４】各シーンモードのプログラム線図の表示の変形例を示す図
【図５】露出補正の設定の一例を示す図
【図６】ポートレートモード５０の露出条件の編集の一例を示す図
【図７】スポーツモード６０の露出条件の編集の一例を示す図
【図８】プログラム線図の編集の一例を示す図
【図９】プログラム線図の編集の変形例を示す図
【図１０】プログラム線図の編集の他の変形例を示す図
【発明を実施するための形態】
【００２０】
図１は、一の実施形態に係る撮影支援システムの構成の一例を示すブロック図である。本実施形態の撮影支援システムは、電子カメラ１、コンピュータ２から構成される。
【００２１】
次に、本実施形態の電子カメラ１の構成について説明する。電子カメラ１は、撮像レンズ１１、絞り１２、絞り制御部１３、シャッタ１４、シャッタ制御部１５、撮像素子１６、ＡＦＥ１７、画像処理部１８、ＣＰＵ１９、操作部２０、モニタ２１、測光センサ２２、フラッシュメモリ２３、通信Ｉ／Ｆ２４を備える。絞り制御部１３、シャッタ制御部１５、ＣＰＵ１９、モニタ２１、測光センサ２２、フラッシュメモリ２３、通信Ｉ／Ｆ２４は、バス２５に情報伝達可能に接続されている。
【００２２】
絞り１２は、被写体からの光を通過させる開口（図示省略）を有する。絞り１２は、その開口の大きさを変化させることで、撮像素子１６に入射される単位時間当たりの光量を調整する。この絞り１２は、絞り制御部１３によって駆動制御され、上述の開口の大きさを変化させる。
【００２３】
シャッタ１４は、被写体からの光路を開閉する。シャッタ１４により光路が開放されると、被写体像が撮像素子１６の受光面に結像される。シャッタ１４は、シャッタ制御部１５により駆動制御される。なお、シャッタ１４は、機械式のシャッタであってもよい。また、シャッタ１４を用いないで、撮像素子１６における信号電荷の蓄積時間のみを制御する、いわゆる電子シャッタを用いてもよい。この場合、ＣＰＵ１９が、シャッタ制御部１５を兼ねる。
【００２４】
撮像素子１６は、撮像レンズ１１によって結像された被写体像を撮像するデバイスである。この撮像素子１６の出力はＡＦＥ１７に接続される。なお、本実施形態の撮像素子１６は、順次走査方式の固体撮像素子（ＣＣＤなど）であってもよい。また、撮像素子１６は、ＸＹアドレス方式の固体撮像素子（ＣＭＯＳなど）であってもよい。
【００２５】
ＡＦＥ１７は、撮像素子１６から入力されるアナログの画像信号に対するゲインコントロールやＡ／Ｄ変換などの処理を行うアナログフロントエンドである。なお、ゲインコントロールとは、撮像素子１６から出力される画像信号を増幅する処理であり、画像信号の増幅度は、撮影感度（ＩＳＯ感度）に基づいて設定される。
【００２６】
画像処理部１８は、ＡＦＥ１７から出力されるデジタルの画像信号にデジタル現像処理を施す。画像処理部１８は、現像処理された画像データを生成する。ここで、デジタル現像処理とは、撮像素子１６から出力されたＲＡＷ画像を写真に相当する画像に変換するための画像処理である。一例として、デジタル現像処理には、補間処理、ホワイトバランス処理、階調変換処理、ノイズ除去処理、輪郭強調処理、色変換処理（色変換マトリクスでの演算など）、ガンマ変換などが含まれる。なお、現像画像のデータは、ＪＰＥＧ形式やＴＩＦＦ形式などの公知の形式で生成される。
【００２７】
ＣＰＵ１９は、電子カメラ１の各部を統括的に制御するプロセッサである。例えば、ＣＰＵ１９は、測光センサ２２が検出した測光情報に基づいて、公知のコントラスト検出によるオートフォーカス（ＡＦ）制御や、公知の自動露出（ＡＥ）演算などをそれぞれ実行する。ＣＰＵ１９は、算出された露出条件に基づいて、不図示のタイミングジェネレータを介して、撮像素子１６による撮像動作を制御する。
【００２８】
操作部２０は、例えば、撮影モードの切換入力や撮影指示などをユーザから受け付ける。操作部２０には、液晶モニタなどのモニタ２１の画面上に重ねて配置されるタッチパネルなどを適宜選択して用いてもよい。なお、モニタ２１は、ＣＰＵ１９の制御に基づいて、撮像された画像などを表示する。
【００２９】
測光センサ２２は、被写体の被写体輝度などの測光情報を検出する。本実施形態における測光センサ２２には、例えば、撮像素子１６と同じく、ＣＣＤやＣＭＯＳの半導体のイメージセンサなどを適宜選択して用いることができる。なお、撮像素子１６が、測光センサ２２を兼ねる構成にしてもよい。
【００３０】
フラッシュメモリ２３は、ＣＰＵ１９によって実行される各種のプログラムを記憶する不揮発性の半導体メモリである。フラッシュメモリ２３は、電子カメラ１が撮影した画像ファイルなどを記憶する記憶領域を有する。なお、本実施形態のフラッシュメモリ２３は、撮影対象のシーンに応じたポートレートモード、風景モードなどのシーンモードにおける、シャッタ速度、絞り値（Ｆ値）、露光値（ＥＶ値）を関係付けるプログラム線図を記憶する。また、フラッシュメモリ２３は、各シーンモードのシャッタ速度、絞り値を少しずつ変化させて撮影した画像のファイルを、サンプル画像として記憶しているものとする。さらに、そのサンプル画像を説明する説明文のテキストデータも記憶していることが好ましい。
【００３１】
通信Ｉ／Ｆ２４は、有線または無線の公知の通信回線３を介して接続されたコンピュータ２とのデータ送受信を、所定の通信規格に準拠して制御する。
【００３２】
次に、電子カメラ１による撮像の露出条件を編集設定するコンピュータ２について説明する。コンピュータ２は、撮影支援プログラムがインストールされたパーソナルコンピュータである。コンピュータ２は、ＣＰＵ３１、メモリ３２、記憶装置３３、通信部３４、入出力Ｉ／Ｆ３５を備える。ＣＰＵ３１、メモリ３２、記憶装置３３、通信部３４、入出力Ｉ／Ｆ３５は、バス３６を介して相互に接続されている。さらに、コンピュータ２には、入出力Ｉ／Ｆ３５を介して、入力デバイス３７（キーボード、ポインティングデバイスなど）およびモニタ３８が接続されている。なお、入出力Ｉ／Ｆ３５は、入力デバイス３７からの各種入力を受け付ける。また、入出力Ｉ／Ｆ３５は、ＣＰＵ３１などからの表示用のデータをモニタ３８に出力する。
【００３３】
ＣＰＵ３１は、コンピュータ２の各部動作を統括的に制御するプロセッサである。このＣＰＵ３１は、例えば、撮影支援プログラムに基づいて、電子カメラ１による露出条件やプログラム線図を、ユーザが所望する画像が取得できるように編集する。ＣＰＵ３１は、編集された露出条件やプログラム線図を、通信部３４を介して電子カメラ１へ送信し設定する。ＣＰＵ３１は、各シーンモードの露出条件などをモニタ３８に表示する表示制御部としても動作する。
【００３４】
メモリ３２は、撮影支援プログラムの演算結果などを一時的に記憶する。このメモリ３２は、例えば揮発性のＳＤＲＡＭなどで構成される。
【００３５】
記憶装置３３は、本実施形態の撮影支援プログラム、そのプログラムの実行に必要となる各種のデータを記憶する。また、記憶装置３３は、ＣＰＵ３１が通信部３４を介して電子カメラ１から取得した、測光センサ２２により検出された測光情報、シーンモードのプログラム線図、サンプル画像、説明文のテキストデータなどを記憶する。また、記憶装置３３は、電子カメラ１で撮影された画像ファイルを読み込んで記憶してもよい。なお、記憶装置３３は、ハードディスクや不揮発性の半導体メモリなどで構成される。
【００３６】
通信部３４は、有線または無線の公知の通信回線３を介して接続された電子カメラ１などとのデータ送受信を、所定の通信規格に準拠して制御する。
【００３７】
次に、本実施形態に係る撮影支援システムの具体的な動作の説明を、（１）露出条件およびプログラム線図の表示、（２）露出条件およびプログラム線図の編集それぞれについて行う。
【００３８】
（１）露出条件およびプログラム線図の表示
コンピュータ２のＣＰＵ３１は、入力デバイス３７を介してユーザ操作（出力装置３８に表示される撮影支援プログラムのアイコンをダブルクリックするなど）を受け付ける。その結果、ＣＰＵ３１は、記憶装置３３に記憶されている撮影支援プログラムを読み込み起動するとともに、通信部３４を電子カメラ１と通信可能に設定する。
【００３９】
ＣＰＵ３１は、検出された測光情報、設定されている各シーンモードの露出条件、各シーンモードのプログラム線図、サンプル画像、説明文のデータを電子カメラ１から取得する。ＣＰＵ３１は、取得した各種データを記憶装置３３に記録する。
【００４０】
ＣＰＵ３１は、電子カメラ１から取得したデータに基づいて、例えば、図２に示すように、各シーンモードの露出条件をモニタ３８に表示する。図２の横軸および縦軸は、シャッタ速度および絞り値（Ｆ値）である。図２の実線は、測光情報の被写体輝度に基づいた露光値が１４で、ＩＳＯ感度が１００の場合におけるシャッタ速度と絞り値との関係を示す。図に示すように、風景モード４０、ポートレートモード５０、スポーツモード６０の露出条件は、その実線の直線上に分布する。図２に示すような表示により、ユーザは、各シーンモードの露出条件の関係を視覚的に理解することができる。なお、露光値が１４とは、晴れた日の屋外の明るさに相当する。
【００４１】
さらに、モニタ３８には、ＩＳＯ感度を変更できるＩＳＯ感度変更釦が表示される構成としてもよい（図２領域７０参照）。例えば、図２の破線は、露光値が１４で、ＩＳＯ感度が４００の場合のシャッタ速度と絞り値との関係を示す。これにより、ユーザは、ＩＳＯ感度に応じて各シーンモードの露出条件がどのように変化するかを視覚的に容易に理解することができる。
【００４２】
また、ユーザが入力デバイス３７のポインタなどをシーンモードのアイコンの位置に移動させると、ＣＰＵ３１は、サンプル画像や説明文を表示させるようにしてもよい。また、サンプル画像の代わりに、ＣＰＵ３１は、サムネイル画像を表示し、ユーザからの入力指示に応じて、より高解像画像のサンプル画像を表示する構成であってもよい。
【００４３】
次に、ＣＰＵ３１は、図２の表示に代えて、各シーンモードのプログラム線図をモニタ３８に表示させてもよい。
【００４４】
図３は、風景モード４０（一点破線）、ポートレートモード５０（実線）、スポーツモード６０（破線）のプログラム線図の表示の一例を示す。なお、図３の上図は、露光値とシャッタ速度との関係に基づいた表示例を示す。図３の下図は、露光値と絞り値との関係に基づいた表示例を示す。各プログラム線図の●印は、取得した測光情報に基づいた現在の露光値（＝１４）を示す。なお、図２の場合と同様に、モニタ３８には、ＩＳＯ感度を変更するＩＳＯ感度変更釦が表示される構成としてもよい。また、図３の露光値を示す横軸に、「快晴」、「曇り」、「暗い室内」などの各露光値に対応する撮影環境を例示し表示することが好ましい。これにより、ユーザは、各シーンモードにおける明るさとシャッタ速度および絞り値との関係を視覚的に理解することができる。
【００４５】
一方、図４に示すように、シャッタ速度や絞り値に応じて電子カメラ１で撮影した場合、どのような画像が取得できるかを示すサンプル画像を、図３の表示に重畳表示させる構成にしてもよい（図４領域８０、９０参照）。すなわち、図４に示す領域８０の表示は、シャッタ速度が速くなるに従い、被写体の動きが止まった画像が取得できることを示す。一方、図４に示す領域９０の表示は、絞り値が大きくなるに従い、人物だけでなく背景まで焦点が合った画像が取得できることを示す。なお、ＣＰＵ３１は、サンプル画像とともに説明文をモニタ３８に重畳表示させてもよい。これにより、初心者のようなユーザであっても、各シーンモードのプログラム線図の関係を視覚的に理解することができる。
【００４６】
また、図２と同様に、モニタ３８には、ＩＳＯ感度変更釦が表示される構成としてもよい。これにより、ユーザは、ＩＳＯ感度に応じて各シーンモードのプログラム線図がどのように変化するかを視覚的に理解することができる。
【００４７】
（２）露出条件およびプログラム線図の編集
次に、コンピュータ２のＣＰＵ３１は、上述した露出条件またはプログラム線図の表示中に、入力デバイス３７を介してユーザによる編集指示を受け付けると、編集モードに移行する。編集モードへの移行は、例えば、モニタ３８にメニューを表示しメニューから選択される構成とする。
【００４８】
なお、以下において、Ａ）露出補正を設定する場合、Ｂ）シーンモードの露出条件を編集する場合、Ｃ）シーンモードのプログラム線図を編集する場合のそれぞれについて説明する。
【００４９】
Ａ）露出補正を設定する場合
図５は、露出補正の一例として、図２に示す表示に基づいて、ポートレートモード５０の露出補正をする場合を示す。すなわち、ユーザは、図５に示すように、モニタ３８に表示されたグラフ上で、入力デバイス３７を介して、ポートレートモード５０のアイコンを絞り値の軸に対して平行に移動させる。ＣＰＵ３１は、その移動指示を入力デバイス３７から受け付ける。ＣＰＵ３１は、移動前と移動後とのポートレートモード５０のアイコンの位置に基づいて露出補正量を算出する。ＣＰＵ３１は、その露出補正量を適用した露出条件を求める。ＣＰＵ３１は、その露出条件をポートレートモード５０の新たな露出条件として、通信部３４を介して電子カメラ１へ送信する。電子カメラ１のＣＰＵ１９は、新たなポートレートモード５０の露出条件を受信し設定する。
【００５０】
このように、ユーザは、各シーンモードの露出条件の関係を視覚的に理解把握することができ、特定のシーンモードの露出補正を行うことができる。
【００５１】
なお、ポートレートモード５０のアイコンを移動に応じて、ＣＰＵ３１は、その露出補正によってどのような画像が取得できるかを、モニタ３８にサンプル画像や説明文を重畳表示させる構成にしてもよい。また、モニタ３８には、ＩＳＯ感度変更釦とともに、元の状態表示釦、元の状態に戻す釦が表示される構成としてもよい（図５領域７５参照）。なお、元の状態表示釦は、移動前の露出条件を重畳表示する。元の状態に戻す釦は、移動前の露出条件に戻す。
【００５２】
Ｂ）シーンモードの露出条件を編集する場合
図６は、シーンモードの露出条件の編集の一例として、図２に示す表示に基づいて、ポートレートモード５０の露出条件を編集する場合を示す。すなわち、ユーザは、図６に示すように、モニタ３８に表示されたグラフ上で、入力デバイス３７を介して、ポートレートモード５０のアイコンを実線に沿って移動させる。ＣＰＵ３１は、その移動指示を入力デバイス３７から受け付ける。ＣＰＵ３１は、移動後のポートレートモード５０のアイコンの位置をモニタ３８から取得する。ＣＰＵ３１は、その位置に対応するシャッタ速度および絞り値を取得する。ＣＰＵ３１は、新たなポートレートモード５０の露出条件とする。ＣＰＵ３１は、その露出条件を通信部３４を介して電子カメラ１へ送信する。電子カメラ１のＣＰＵ１９は、新たなポートレートモード５０の露出条件を受信し設定する。なお、ＣＰＵ１９は、受信した新たな露出条件を新規のシーンモードの露出条件として保存し設定してもよい。
【００５３】
このように、ユーザは、各シーンモードの露出条件の関係を視覚的に理解把握することができ、特定のシーンモードの露出条件の編集を行うことができる。
【００５４】
なお、図６に示すように、ＣＰＵ３１は、ポートレートモード５０のアイコンの移動に応じて、そのアイコンの位置でのシャッタ速度および絞り値によってどのような画像が取得できるかを、サンプル画像１００をモニタ３８に重畳表示することが好ましい。これにより、ユーザは、シーンモードの露出条件の編集による効果を視覚的に理解しながら行うことができる。すなわち、ポートレートモード５０の場合、サンプル画像１００として、絞り値が大きくなるに従って、人物とともに背景にも焦点が合うようになる画像を用いることが好ましい。一方、図７に示すスポーツモード６０の場合、サンプル画像１１０として、シャッタ速度が遅くなるに従って、被写体の動きによって流れた画像を用いることが好ましい。
【００５５】
また、サンプル画像１００、１１０の代わりに、ＣＰＵ３１は、最初にサムネイル画像を表示し、ユーザからの入力指示に応じて、より高解像画像のサンプル画像１００、１１０を表示する構成であってもよい。
【００５６】
また、サンプル画像１００、１１０とともに、そのサンプル画像を説明する説明文もモニタ３８に重畳表示してもよい。ポートレートモード５０の場合の説明文には、例えば、絞り値が大きくなるに従い、「背景をボカした画像が得られます」、「背景をややボカした画像が得られます」、「人物と背景両方にピントが合った画像が得られます」などの文章を表示することが好ましい。また、スポーツモード６０の場合の説明文には、例えば、シャッタ速度が遅くなるに従い、「被写体の動きを止めた画像が得られます」、「被写体の動きがやや流れた画像が得られます」、「被写体の動きが流れた画像が得られます」などの文章を表示することが好ましい。
【００５７】
また、モニタ３８には、ＩＳＯ感度変更釦とともに、元の状態表示釦、元の状態に戻す釦が表示される構成としてもよい（図６領域７５参照）。
【００５８】
さらに、ユーザによる移動指示が電子カメラ１のシャッタ速度または絞り値の適用範囲外になった場合、コンピュータ２のＣＰＵ３１は、自動的にＩＳＯ感度を変更して対応することが好ましい。
【００５９】
Ｃ）シーンモードのプログラム線図を編集する場合
図８は、シーンモードのプログラム線図を編集の一例として、図３の表示に基づいて、ポートレートモード５０のプログラム線図（実線）を編集する場合を示す。図８は、●印で示す現在の露光値の下で、ユーザが、ポートレートモード５０を選択しつつも、人物だけでなく背景にも焦点を合わせる画像が取得できるように編集する場合を示す。
【００６０】
そのために、ユーザは、入力デバイス３７を介して、領域９０のサンプル画像を参照しつつ、図８の下図の露光値と絞り値との関係に基づいたプログラム線図を上方に平行移動させる。すなわち、露光値にかかわらず、より大きな絞り値（＝背景にも焦点が合う絞り値）が選択されるようにする。
【００６１】
ＣＰＵ３１は、その移動指示を入力デバイス３７を介して受け付ける。ＣＰＵ３１は、その移動に応じて、図８の上図の露光値とシャッタ速度との関係に基づいたプログラム線図を下方に平行移動させる。ＣＰＵ３１は、編集されたプログラム線図（破線）を、新たなポートレートモード５０のプログラム線図として、通信部３４を介して電子カメラ１へ送信する。電子カメラ１のＣＰＵ１９は、新たなポートレートモード５０のプログラム線図を受信し設定する。なお、ＣＰＵ１９は、受信した新たなポートレートモード５０のプログラム線図を新規の別のシーンモードの露出条件として保存し設定してもよい。
【００６２】
このように、ユーザは、サンプル画像を参照することにより、各シーンモードのプログラム線図の効果を視覚的に理解把握することができ、特定のシーンモードのプログラム線図の編集を行うことができる。
【００６３】
ここで、ポートレートモード５０において背景をよりボカしたい場合には、露光値と絞り値との関係に基づいたプログラム線図を下方に移動させればよい。また、明るい被写体にもかかわらず、背景をボカしたい場合には、ＩＳＯ感度を小さく設定するとともに、露光値と絞り値との関係に基づいたプログラム線図を下方に移動させることで実現できる。
【００６４】
次に、図９は、プログラム線図の編集の変形例を示す。すなわち、図９は、ユーザが、ポートレートモード５０において、暗い室内などであっても被写体の動きによって流れない画像が取得できるように編集する場合を示す。
【００６５】
そのために、ユーザは、入力デバイス３７を介して、領域８０のサンプル画像を参照しつつ、図９の上図の露光値とシャッタ速度との関係に基づいたプログラム線図を、●印の現在の露光値の位置を回転中心にして時計回りに回転させる。すなわち、露光値が小さくても、より速いシャッタ速度が選択されるようにする。
【００６６】
ＣＰＵ３１は、その回転指示を入力デバイス３７を介して受け付ける。ＣＰＵ３１は、その回転に応じて、図９の下図の露光値と絞り値との関係に基づいたプログラム線図を反時計回りに回転させる。ＣＰＵ３１は、編集されたプログラム線図（破線）を、新たなポートレートモード５０のプログラム線図として、通信部３４を介して電子カメラ１へ送信する。電子カメラ１のＣＰＵ１９は、新たなポートレートモード５０の露出条件を受信し設定する。
【００６７】
次に、図１０は、プログラム線図の編集の他の変形例を示す。すなわち、図１０は、図３に示す風景モード４０のプログラム線図（一点破線）のように、複数の節点を有するプログラム線図を編集する場合を示す。
【００６８】
ＣＰＵ３１は、入力デバイス３７を介してユーザから編集指示を受け付けると、風景モード４０のプログラム線図の節点の位置に□印を表示し編集可能にする。
【００６９】
ユーザは、入力デバイス３７を介して、例えば、風景モード４０のプログラム線図（一点破線）を一直線にする場合、図１０の上図の露光値とシャッタ速度との関係に基づいたプログラム線図の左側の節点の□印を下方に移動させる。同時に、ユーザは、入力デバイス３７を介して、同じ□印を回転中心として左側のプログラム線図を時計回りに回転させる。
【００７０】
ＣＰＵ３１は、これらの移動および回転指示を入力デバイス３７を介して受け付ける。ＣＰＵ３１は、移動および回転指示に応じて、図１０の下図の露光値と絞り値との関係に基づいたプログラム線図も一直線状に編集する。ＣＰＵ３１は、編集されたプログラム線図（破線）を、新たな風景モード４０のプログラム線図として、通信部３４を介して電子カメラ１へ送信する。電子カメラ１のＣＰＵ１９は、新たな風景モード４０のプログラム線図を受信し設定する。
【００７１】
なお、サンプル画像（領域８０、９０）とともに、そのプログラム線図の編集に関する説明文も合わせて表示してもよい。また、プログラム線図の表示とともに、領域７５のように、モニタ３８には、ＩＳＯ感度変更釦、元の状態表示釦、元の状態に戻す釦が表示される構成としてもよい。
【００７２】
このように、本実施形態では、各シーンモードの露出条件やプログラム線図を比較可能に表示することにより、各シーンモードの関係を視覚的に把握でき、各シーンモードの設定の意図を容易に理解することができる。
【００７３】
また、サンプル画像および説明文が表示されることにより、初心者のようなユーザであっても、所望する画像を撮影するための露出条件やプログラム線図の編集設定が容易に行える。
《実施形態の補足事項》
（１）上記実施形態では、電子カメラ１とコンピュータ２とから構成される撮影支援システムとしたが、本発明はこれに限定されず、電子カメラ１に撮影支援プログラムを有することにより、電子カメラ１単体で撮影支援システムの機能を実現してもよい。
【００７４】
また、本発明は、撮影支援プログラムを記憶する記録媒体に対しても適用可能である。
【００７５】
（２）上記実施形態では、各シーンモードの露出条件やプログラム線図のみを編集したが、本発明はこれに限定されず、例えば、画像処理部１８による各シーンモードにおける色補正処理や輪郭強調処理などの画像処理のパラメータも、同時に編集できるようにしてもよい。
【００７６】
（３）上記実施形態では、各シーンモードのプログラム線図の表示において、領域８０、９０にサンプル画像を表示したが、本発明はこれに限定されない。例えば、電子カメラ１に装着される交換レンズなどの撮影機材に応じて、サンプル画像の配置が変わるようにしてもよい。なお、装着される交換レンズの焦点距離などの撮影機材の情報も併せて表示されることが好ましい。これにより、所望する画像を撮影するためのプログラム線図の編集が、より視覚的に把握しつつ行うことができる。
【００７７】
（４）上記実施形態では、風景モード４０のプログラム線図は２つの節点を有し、ポートレートモード５０のプログラム線図は直線などとしたが、本発明はこれに限定されない。各シーンモードのプログラム線図は、階段状などの形状や任意の傾きを有してもよい。なお、プログラム線図の形状や傾きは、電子カメラ１が有する機能や要求される性能に応じて適宜決められることが好ましい。
【００７８】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００７９】
１  電子カメラ、２  コンピュータ、３  通信回線、１１  撮像レンズ、１２  絞り、１３  絞り制御部、１４  シャッタ、１５  シャッタ制御部、１６  撮像素子、１７  ＡＦＥ、１９、３１  ＣＰＵ、２０  操作部、２１、３８  モニタ、２２  測光センサ、２３  フラッシュメモリ、２４  通信Ｉ／Ｆ、２５、３６  バス、３２  メモリ、３３  記憶装置、３４  通信部、３５  入出力Ｉ／Ｆ、３７  入力デバイス
【図１】
2011197090.tif 000003
【図２】
2011197090.tif 000004
【図３】
2011197090.tif 000005
【図４】
2011197090.tif 000006
【図５】
2011197090.tif 000007
【図６】
2011197090.tif 000008
【図７】
2011197090.tif 000009
【図８】
2011197090.tif 000010
【図９】
2011197090.tif 000011
【図１０】
2011197090.tif 000012